(57)【特許請求の範囲】
【請求項１】
ベースを含む洗濯機であって、
前記ベースにはローラと支持体が設けられており、前記ローラの転動外周面には歯が設けられており、前記支持体には歯溝が設けられ、前記洗濯機に第１方向の力を付与するとローラが回動して洗濯機を移動させ、前記洗濯機に第１方向とは反対の第２方向の力を付与すると、前記ローラの歯と支持体の歯溝が噛合して固定され、共に洗濯機を支持及び固定し、
前記支持体は、一端が前記ローラより上方でベースに固定され、他端が自由端となっており、前記ローラの回転による洗濯機の移動方向において、前記支持体は一端から、前記ローラよりも前方へと延伸し、さらに、前記ローラの底部に沿って、前記ローラよりも後方に位置している前記他端へと延伸しており、前記支持体には前記ローラに対応して退避口が開設されており、前記歯が前記退避口から伸出して地面に接触し、前記支持体における退避口と自由端の間に位置する表面に歯溝が設けられてロック部を形成していることを特徴とする洗濯機。
【請求項２】
前記支持体はＣ型のベルト状構造をなしており、Ｃ型のベルト状構造の上端はベースに接続され、Ｃ型のベルト状構造の下端は自由端となっており、前記ローラはＣ型のベルト状構造内に設けられ、Ｃ型のベルト状構造の底部にはローラに対応して退避口が開設されており、前記Ｃ型のベルト状構造における退避口から自由端までの上面に前記歯溝が設けられて前記ロック部を形成していることを特徴とする請求項１に記載の洗濯機。
【請求項３】
前記ローラの歯は傾斜して設けられ、及び／又は、前記支持体の歯溝は傾斜して設けられ、
ことを特徴とする請求項１又は２に記載の洗濯機。
【請求項４】
前記ローラの歯と前記支持体の歯溝はいずれも傾斜するよう設けられ、且つ、前記歯溝の傾斜方向と前記歯の傾斜方向が互いに逆向きであることを特徴とする請求項１〜３のいずれかに記載の洗濯機。
【請求項５】
前記支持体の歯溝は、ローラの底部寄りであって、ローラの転動外周面の伸開線方向に沿って設けられることを特徴とする請求項１〜４のいずれかに記載の洗濯機。
【請求項６】
前記ローラは第１方向に移動するように設けられ、前記洗濯機は筐体を含み、前記筐体は、前面パネルと、前面パネルに対向して設けられる背面パネルを有し、前記第１方向は、前面パネルが背面パネルに向かう方向であることを特徴とする請求項１〜５のいずれかに記載の洗濯機。
【請求項７】
前記支持体の底部には地面と接触する支持部が備わっており、前記支持部のうち地面と接触する側は平面構造をなしていることを特徴とする請求項１〜６のいずれかに記載の洗濯機。
【請求項８】
前記支持部のうち地面と接触する側には更に滑り防止層が設けられていることを特徴とする請求項７に記載の洗濯機。
【発明の詳細な説明】
【技術分野】
【０００１】
本発明は洗濯機の分野に関し、特に、移動させやすい洗濯機に関する。
【背景技術】
【０００２】
洗濯機は体積が大きく重量も重いため、移動が容易でない。従来技術では、洗濯機の移動が難しいとの課題を解決するために、洗濯機のベースにローラを設けており、ローラを動かすことで洗濯機の移動を実現しているが、ローラを設けた場合には洗濯機の固定が別の課題となる。
【０００３】
特許文献１は、調節可能な洗濯機ベースについて開示している。前記洗濯機ベースは、前支持脚１、前支持脚２、調節可能ユニット、転動ユニット、ローラ、円柱ピン、錐状スタンド、ロックナット及び調節可能支持脚を含む。前支持脚１及び前支持脚２には、調節可能ユニットと転動ユニットの双方が装着されている。調節可能ユニットは、錐状スタンド、ロックナット及び調節可能支持脚を含み、錐状スタンドと調節可能支持脚がネジにより接続されている。また、ロックナットは調節可能支持脚の高さを固定するために用いられる。転動ユニットはローラと円柱ピンを含む。調節可能支持脚の高さを調節する際には、まずロックナットを緩め、調節可能支持脚を適切な高さまで調節してからロックナットを締め付けることで、調節可能支持脚の高さを固定する。洗濯機の安定状態を実現する場合、調節可能ユニットの位置は転動ユニットの位置よりも低くなくてはらない。ところが、前記洗濯機ベースの構造は複雑である。また、洗濯機の固定又は移動時に支持脚とローラの相対位置を調節する必要があるため、操作過程が複雑且つ不便である。
【０００４】
特許文献２は、ベース後支持脚、装着溝、ローラ、バネ、スタッドボルト、ナット、回転軸、チャック、回転孔、締結孔、係合爪ピンを含む洗濯機ベースのセルフロック構造装置を開示している。ローラは回転孔を通じて回転軸周りに回転する。チャックは回転軸上で軸方向にのみ摺動可能であり、径方向には回動不可能である。また、ローラ、回転軸及びチャックを組み付けたもの全体がベース後支持脚の装着溝に係入される。スタッドボルトは、一端がバネに挿通されてチャックの逆ネジメクラ穴に組み付けられると共に、他端にナットが組み付けられる。バネは常に圧縮状態となっている。ナットを緩め続けると、バネの弾性力の働きによって係合爪ピンが締結孔に挿入され、ローラが回転軸周りに回動不可能となる結果、転動ユニットがセルフロックされて洗濯機の配置位置がロックされる。一方、ナットを締め続けて係合爪ピンが締結孔から完全に抜け出ると、セルフロックが解除され、ローラが回転軸周りに自在に回動可能となる結果、洗濯機を素早く移動させられる。しかし、前記洗濯機ベースのセルフロック構造装置は構造が複雑である。また、洗濯機の移動及び固定の過程では、チャックの係合爪ピンをローラの締結孔に対し抜き差しするよう制御することで洗濯機ベースのロックとロック解除を実現せねばならないため、操作が複雑である。
【０００５】
上記に鑑みて、本発明を提案する。
【先行技術文献】
【特許文献】
【０００６】
【特許文献１】中国特許出願公開第２０１４１０１８９１０４．１号明細書
【特許文献２】中国実用新案第２０１５２０６９９３５８．８号明細書
【発明の概要】
【発明が解決しようとする課題】
【０００７】
本発明は、従来技術における瑕疵を解消し、ベースにローラ及び前記ローラをロックする支持体が設けられており、ローラの回動方向によってローラのロック及びロック解除を実現することで、洗濯機の移動及び固定の双方が容易且つ迅速となる洗濯機を提供することを解決すべき技術的課題とする。
【課題を解決するための手段】
【０００８】
上記の技術的課題を解決すべく、本発明で採用する技術方案の基本思想について以下に述べる。
【０００９】
洗濯機であって、ベースを含み、前記ベースにはローラと支持体が設けられており、前記ローラの転動外周面には歯が設けられており、前記支持体には歯溝が設けられ、前記洗濯機に第１方向の力を付与するとローラが回動して洗濯機を移動させ、前記洗濯機に第１方向とは反対の第２方向の力を付与すると、前記ローラの歯と支持体の歯溝が噛合して固定され、共に洗濯機を支持及び固定する。
【００１０】
上記の方案では、ローラの歯と噛合可能な支持体を設けることで、洗濯機を移動及び固定するための方案を簡略化しているため、ユーザは洗濯機の位置を移動させやすくなる。ユーザが洗濯機を移動させたい場合には、第１方向に洗濯機を押動するだけでローラが回動し、洗濯機が移動する。また、洗濯機を目的の位置に移動させたとき、逆方向にわずかな距離を移動させるだけで洗濯機の固定を完了できるため、従来の洗濯機は移動が難しいとの課題が解決される。
【００１１】
好ましくは、前記支持体にはローラの転動外周面と接触するロック部が設けられており、前記ロック部に前記歯溝が設けられており、前記洗濯機に第２方向の力を付与するとローラの歯が歯溝と噛合して固定され、前記洗濯機に第１方向の力を付与するとローラの歯が歯溝から離脱する。
【００１２】
上記の方案において、前記ロック部は１つとは限らず、好ましくは、支持体によるローラのロックに有利となるよう複数のロック部を設ける。
【００１３】
好ましくは、前記支持体はベルト状構造をなしており、一端がベースに固定されると共に、他端がローラに接触し、且つ、他端には歯溝が設けられて前記ロック部を形成している。
【００１４】
好ましくは、前記支持体は、一端がローラの一方の側のベースに固定されると共に、他端が自由端となっており、前記自由端はローラの底部からローラの他方の側まで延伸しており、前記支持体にはローラに対応して退避口が開設されており、前記歯が前記退避口から伸出して地面に接触し、前記支持体における退避口と自由端の間に位置する表面に歯溝が設けられて前記ロック部を形成している。
【００１５】
上記の方案において、ロック部は自由端の一方の側に設けられるため、実際の噛合及び固定に有利となる。ローラが第２方向に運動すると、ローラの歯が支持体の歯溝と噛合することで、自由端がローラの働きで地面に向かって傾斜する結果、支持体とローラが共に洗濯機を支持及び固定する。
【００１６】
一方、ローラの歯は地面と接触することから、長期間支持していると前記歯が破損する。そのため、本発明では、前記支持体のロック部をローラの一方の側におけるローラ底部寄りの位置に設けており、ローラの一部が支持体の歯溝内に噛合及び進入する。支持体の歯溝は、ローラの歯を保護する役割を有する。言うまでもなく、本発明においては、ローラと支持体が噛合した後、支持体の自由端もまた地面に接触することで洗濯機と地面との摩擦力が増大するため、洗濯機の安定に有利となる。
【００１７】
好ましくは、前記支持体はＣ型のベルト状構造をなしており、Ｃ型のベルト状構造の上端はベースに接続され、Ｃ型のベルト状構造の下端は自由端となっており、前記ローラはＣ型のベルト状構造内に設けられ、Ｃ型のベルト状構造の底部にはローラに対応して退避口が開設されており、前記Ｃ型のベルト状構造における退避口から自由端までの上面に前記歯溝が設けられて前記ロック部を形成している。
【００１８】
上記の方案において、支持体はＣ型のベルト状構造をなしており、ローラがＣ型のベルト状構造の内部に設けられている。これにより、前記Ｃ型のベルト状構造のローラは、更にローラを保護するとの役割を有する。且つ、ローラをＣ型のベルト状構造の内部に設けることで、更に省スペース化との作用が奏される。
【００１９】
好ましくは、前記ローラの歯は傾斜して設けられ、及び／又は、前記支持体の歯溝は傾斜して設けられ、好ましくは、前記ローラの歯と支持体の歯溝はいずれも傾斜するよう設けられ、且つ、歯溝の傾斜方向と歯の傾斜方向が互いに逆向きである。
【００２０】
前記支持体の歯溝は歯の幅よりも小さな収縮部を備え、前記歯と歯溝はしっかりと噛合することで一体化可能である。
【００２１】
上記の方案において、支持体の歯溝は歯の幅よりも小さな収縮部を備えるため、歯と歯溝が噛合するときに歯が歯溝内に押し込まれる。この場合、支持体と歯をしっかりと固定できるため、洗濯機の安定に有利である。
【００２２】
好ましくは、前記支持体の歯溝は、ローラの底部寄りであって、ローラの転動外周面の伸開線方向に沿って設けられる。
【００２３】
上記の方案において、前記支持体の歯溝は、ローラの底部寄りであって、ローラの転動外周面の伸開線方向に沿って設けられるため、ローラの歯と支持体の歯溝との噛合に有利となる。
【００２４】
好ましくは、前記支持体の底部には地面と接触する支持部が備わっており、前記支持部のうち地面と接触する側は平面構造をなしており、好ましくは、前記支持部のうち地面と接触する側には更に滑り防止層が設けられている。
【００２５】
上記の方案において、支持部のうち地面と接触する側には滑り防止層が設けられるため、洗濯機の運転過程において洗濯機の安定を保証するために有利となる。言うまでもなく、支持体の支持部のうち地面と接触する側は、地面との摩擦力が増大するよう目の粗い表面構造としてもよい。
【００２６】
好ましくは、前記ローラは第１方向に沿って設けられ、前記洗濯機は筐体を含み、前記筐体は、前面パネルと、前面パネルに対向して設けられる背面パネルを有し、前記第１方向は、前面パネルが背面パネルに向かう方向である。
【００２７】
上記の方案において、洗濯機の運転中、特に、洗濯機のすすぎ過程では震動が発生する。例えば、ドラム洗濯機のすすぎ過程において、洗濯機には明らかな前後の震動が発生する。このとき、前記ローラは第１方向に沿って設けられているため、洗濯機の第１方向及び第２方向における震動を阻止するのに有利となる。
【００２８】
好ましくは、前記支持体とベースを一体的に設けるか、前記支持体をベースに取り付ける。
【００２９】
上記の方案において、支持体はベースと一体的に設けてもよく、この場合、支持体とベースの材質はいずれも硬質材料とする。しかし、ローラの歯と支持体の歯溝が相対的に安定して噛合するためには、支持体の材質を一定の弾性を有する材料とすることが好ましい。前記支持体の材質はベースと異なっており、且つ、前記支持体は洗濯機のベースに取り付けられる。
【発明の効果】
【００３０】
上記の技術方案を採用することで、本発明の洗濯機は位置を移動させたい場合、第１方向に前記洗濯機を押動するだけで洗濯機を移動させられる。一方、洗濯機を目的の位置に移動させたとき、逆方向にわずかな距離を移動させるだけで洗濯機のロック及び固定を完了できる。よって、本発明によれば、従来の洗濯機は移動が難しいとの課題が解決される。このほか、本発明において、前記ローラの歯と支持体が噛合した後、前記支持体もまた地面と接触することでローラと共に洗濯機を支持及び固定する。前記支持体が地面に接触することで洗濯機と地面との摩擦力が増大するため、洗濯機の固定に有利となる。且つ、支持体の歯溝は、更にローラの歯を保護するとの役割を有する。
【００３１】
以下に、図面を組み合わせて本発明の具体的実施形態につき更に詳細に述べる。
【００３２】
図面は本願の一部として、本発明の更なる理解のために提供される。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００３３】
【図１】図１は、本発明における洗濯機ベースの平面図である。
【図２】図２は、図１のＢ−Ｂ断面図である。
【図３】図３は、図１のＡ−Ａ断面図である。
【図４】図４は、ローラの歯が歯溝から離脱した場合示す図である。
【図５】図５は、ローラの歯が歯溝と噛合した場合を示す図である。
【発明を実施するための形態】
【００３４】
なお、これらの図面及び文字記載は何らかの方式で本発明の構想の範囲を制限するとの意図ではなく、特定の実施例を参照して当業者に本発明の概念を説明するためのものである。
【００３５】
本発明における実施例の目的、技術方案及び利点をより明確とすべく、以下では本発明の実施例にかかる図面を組み合わせて実施例の技術方案につき明瞭簡潔に述べる。なお、以下の実施例は本発明を説明するためのものであって、本発明の範囲を制限するものではない。
【００３６】
本発明の記載において、「上」、「下」、「内」、「外」等の用語で示される方向又は位置関係は、図面に基づく方向又は位置関係であり、本発明の記載の便宜上及び記載の簡略化のためのものにすぎず、対象となる装置又は部材が特定の方向を有し、且つ特定の方向で構成及び操作されることを明示又は暗示するものではない。よって、本発明を制限するものと理解すべきではない。
【００３７】
本発明の記載において、別途明確に規定及び限定しない限り、「装着する」、「接続する」との用語は広義に解釈すべきである。例えば、固定接続であってもよいし、取り外し可能な接続であってもよいし、一体的な接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を解釈可能である。
【００３８】
図１〜図５に示すように、本発明は洗濯機を提供する。前記洗濯機はベース３を含み、前記ベース３にローラ１と支持体２が装着されている。前記ローラ１の転動外周面には歯が設けられ、前記支持体には歯溝４が設けられている。洗濯機に第１方向の力を付与すると、ローラ１は自在に回動して洗濯機を移動させる。一方、洗濯機に第１方向とは反対の第２方向の力を付与すると、前記ローラ１の歯と支持体２の歯溝４が噛合して固定され、共に洗濯機を支持及び固定する。
【００３９】
本発明において、ローラ１の歯と支持体２の歯溝４は噛合して固定されることで一体化し、支持体が地面に接触することでローラと共に洗濯機を固定する。支持体とローラが共に洗濯機を支持及び固定することで、ローラのみで洗濯機を固定する場合と比較して、洗濯機と地面との接触面積が拡大し、洗濯機と地面との摩擦力が増大するため、洗濯機の安定に有利となる。
【００４０】
本発明の一実施例として、前記支持体２のうちローラ１の転動外周面寄りにはロック部が設けられ、ロック部に前記歯溝４が設けられている。洗濯機に第２方向の力を付与すると、ローラ１の歯が歯溝４と噛合して固定される。また、洗濯機に第２方向とは反対の第１方向の力を付与すると、ローラ１の歯が歯溝４から離脱して自在に回動可能となる結果、洗濯機の移動が容易となる。前記ロック部は１つとは限らず、好ましくは、支持体によるローラのロックに有利となるよう、複数のロック部を設ける。
【００４１】
上記のように設置することで、洗濯機の位置を移動させたい場合には、ユーザが第１方向に十分な力を付与することで、洗濯機のローラが歯溝４から離脱して自在に転動可能となる結果、洗濯機の移動が容易となる。一方、洗濯機を目的の位置に移動させた後に位置を固定したい場合には、洗濯機に第１方向とは反対の第２方向の力を付与するだけでよい。これにより、洗濯機がわずかな距離だけ移動し、ローラとロック部が噛合することで洗濯機がロック及び固定される。本発明によれば、従来の洗濯機は移動が難しいとの課題が解決される。
【００４２】
本発明の一実施例として、前記支持体２はベルト状構造をなしており、一端がベース３に固定されている。また、他端はローラ１に接触し、且つ歯溝４が設けられて前記ロック部を形成している。言うまでもなく、本発明における支持体２の歯溝４は端部に設けられるとは限らず、ベルト状構造の中間におけるローラ１の表面と接触可能な任意の位置に設けてもよい。且つ、本発明において、前記ロック部は１か所に限らず、ロック効果を増強すべく、複数箇所のロック部を設けてもよい。
【００４３】
本発明の一実施例として、前記ベルト状構造の支持体２はローラ１の転動外周面を取り囲むように設けられ、両端がローラ１の転動方向の両側におけるベース３にそれぞれ固定されている。前記ベルト状構造の支持体２の底部にはローラ１に対応して退避口が開設されており、前記ローラは前記退避口を通じて支持体から伸出し、地面と接触することが可能である。ベルト状構造の支持体におけるその他の位置の内面には、ローラ１の転動外周面と接触する表面が備わっている。また、前記接触する表面には、ロック部が形成されるよう歯が設けられている。前記構造配置では、ベルト状構造の支持体２により取り囲まれる空間の内部にローラ１が設けられるため、省スペース化に有利となる。よって、ベース３の構造がコンパクトとなり、精緻な外観となる。
【００４４】
本発明の一実施例として、ベルト状構造の支持体２は、一端がローラ１の一方の側のベース３に固定されると共に、他端が自由端となっている。前記自由端は、ローラ１の底部からローラ１の他方の側まで延伸している。前記支持体２の底部にはローラ１に対応して退避口が開設されており、前記ローラが前記退避口から伸出して地面に接触する。また、前記支持体２における退避口と自由端の間に位置する表面に歯溝４を設けることで前記ロック部が形成される。本実施例において、ロック部は自由端の一方の側に設けられるため、実際の噛合及び固定に有利となる。例えば、ローラが第２方向に運動すると、ローラの歯が支持体の歯溝と噛合することで、自由端がローラの働きで地面に向かって傾斜する結果、支持体とローラが共に洗濯機を支持及び固定する。一方、ローラの歯は地面と接触することから、長期間支持していると前記歯が破損する。そのため、更に、前記支持体のロック部は、ローラの一方の側におけるローラ底部寄りに設けられるか、ローラ底部寄りであってローラ表面と接触する位置に設けられ、ローラの一部が支持体の歯溝内に噛合及び進入する。支持体の歯溝は、ローラの歯を保護する役割を有する。言うまでもなく、本発明においては、ローラと支持体が噛合した後、支持体の自由端もまた地面に接触することで洗濯機と地面との摩擦力が増大するため、洗濯機の安定に有利となる。
【００４５】
上記実施例の構造をより合理的且つ見栄え良くするために、更に、前記支持体２はＣ型のベルト状構造をなす。Ｃ型のベルト状構造の上端はベース３に接続され、Ｃ型のベルト状構造の下端は自由端となっている。前記ローラ１は、Ｃ型のベルト状構造内に設けられる。Ｃ型のベルト状構造の底部には、ローラ１に対応して退避口が開設されている。また、前記Ｃ型のベルト状構造における退避口から自由端までの上面には、前記歯溝４を設けることで前記ロック部が形成される。本実施例では、ロック部をＣ型構造の自由端の一方の側に設けており、その他の位置に設けるよりも合理的である。本実施例において、前記支持体２は一定の弾性を有している。図５を参照して、ローラ１が第２方向に運動する場合、即ち、図中の時計回り方向に回動すると、ローラの歯が歯溝４と噛合する。歯はＣ型のベルト状構造の自由端を下方に運動させるよう作用して、支持体の底部を平面構造とする。このように設ければ、支持体２とローラ１が共に洗濯機を支持及び固定するために有利となる。このほか、前記自由端の歯溝４は、ローラ１の歯と直接接触している歯溝４を有すると共に、ローラ１に近接しているが接触はしていない歯溝を有する。ローラ１が第２方向に運動すると、ローラ１の歯はまず接触している歯溝４と噛合する。更に、自由端は一定の弾性を有しているため、ローラ１の歯が接触可能な歯溝４と接触すると、ローラ方向に自由端がわずかな距離だけ近接する。これにより、歯が当初は接触していなかった歯溝４と更に噛合することで、双方の噛合の安定性がいっそう強化される。よって、ローラ１とロック部が緊密に噛合し、一体化に有利となる。
【００４６】
本発明では、洗濯機に第１方向の力を付与すると洗濯機が第１方向に移動し、洗濯機に第２方向の力を付与すると洗濯機がロックされる。本発明において、前記ローラ１の歯は傾斜して設けられる。及び／又は、前記支持体２の歯溝４は傾斜して設けられる。一例を挙げると、ローラの歯を一方の側に傾斜させるが、支持体の歯溝は傾斜するよう設けてもよいし、傾斜しないよう設けてもよい。これにより、ローラ上の傾斜した歯が支持体の歯溝に向かって運動すると、前記傾斜した歯が歯溝に進入して歯溝と噛合する。
【００４７】
本発明の一実施例として、前記ローラ１の歯と支持体２の歯溝４はいずれも傾斜するよう設けられ、且つ、歯溝４の傾斜方向と歯の傾斜方向は互いに逆向きとなっている。ローラ１の歯がロック部の歯溝４に向かって運動すると、ローラ１の歯がロック部の歯溝４に噛合して固定される。一方、ローラ１の歯が歯溝４から離間するよう運動すると、歯が歯溝４から離脱して洗濯機を移動させる。本発明では、歯溝と歯を向かい合って傾斜するよう設けているため、より効果的であり、好ましい技術方案となる。
【００４８】
ローラ１とロック部との噛合の安定性を更に促し、これらが噛合後に一体的に固定されるとの技術的効果を達成可能となるよう、好ましくは、前記支持体２の歯溝４は歯の幅よりも小さな収縮部を備える。このように設けることで、前記歯と歯溝４がしっかりと噛合して一体化可能となる。更に、前記歯溝４は小さな弾性を有する材質からなるため、歯は歯溝４の収縮部に圧縮されつつ噛合可能である。よって、これらの噛合及び固定は溶接による固定と同様となり、高い結合度を有するため、洗濯機の運転中に振動が発生してローラの歯が歯溝から離脱するとのリスクが低下する。
【００４９】
本発明の一実施例として、前記支持体２の歯溝４は、ローラ１の底部寄りであって、ローラ１の転動外周面の伸開線方向に沿って設けられる。このような構造配置は、噛合の精度及び噛合の信頼性を高めることを目的としている。
【００５０】
上記各実施例をベースに、本実施例では、前記支持体２の底部を安定に適した平面構造としている。支持体２の底部を平面構造として設けるのは、ローラ１と支持体２が噛合し、ローラ１と支持体２が一体的に固定された後に、前記支持体２の底部を安定的に地面に支持可能とすることを目的としている。更に、前記支持体２は地面と接触する支持部を有し、前記支持部のうち地面と接触する側が平面構造となっている。好ましくは、前記支持部のうち地面と接触する側には更に滑り防止層が設けられている。前記滑り防止層を設けることで、洗濯機の運転過程において洗濯機の安定を保証するのに有利となる。言うまでもなく、支持体の支持部のうち地面と接触する側は、地面との摩擦力が増大するよう目の粗い表面構造としてもよい。
【００５１】
本発明の一実施例として、洗濯機のベース３の四隅には、互いに連携するローラ１と支持体２がそれぞれ備わっている。且つ、４つのローラ１と支持体２は、いずれも相対位置が同様に設けられると共に、回動不可能に洗濯機のベース３に固定される。このような構造配置によって、洗濯機の移動可能方向が固定されるため、ユーザは洗濯機を移動させる過程において、洗濯機を特定の方向に回動させてから一方の側に押動することで前記洗濯機を移動させられる。また、洗濯機を固定したい場合には、前進方向と反対の側にわずかな距離を後退させるだけで、前記洗濯機を固定できる。
【００５２】
言うまでもなく、本発明において、互いに連携するローラ１と支持体２は回動可能に洗濯機のベース３に固定してもよい。具体的には、洗濯機のベース３の四隅にローラ１及びローラ１と連携する支持体２をそれぞれ設ける。前記ローラ１及び対応する支持体２の相対位置は固定するが、ローラと支持体は洗濯機のベースに対し回転することで方向転換可能とする。この場合、具体的に洗濯機を移動させる過程では、まずローラ１及び対応する支持体２の位置を回動させてから、押動により洗濯機の移動を実現する。ローラと支持体が回動不可能に洗濯機のベースに固定される場合と比較して、本案は高い柔軟性を有する。そのため、洗濯機を移動させる際に、まず洗濯機の位置を移動させてから洗濯機を押動するのではなく、先に４つのローラの方向を変更する必要がある。これらの技術方案には、それぞれメリット・デメリットがある。
【００５３】
本発明において、前記第１方向とは、洗濯機の後方から前方或いは前方から後方に向かう方向であり、前記ローラの転動外周面は第１方向に向かって設けられる。前記ローラ１の転動外周面は洗濯機の前後方向に向かって設けられ、前記支持体２の歯溝４はローラ１の後側の位置に設けられる。且つ、歯溝とローラの歯は傾斜方向が対向するよう設けられ、且つ、これらの傾斜方向が互いに逆向きとなっている。このような構造配置によれば、洗濯機の洗浄過程において前後方向に震動が発生するが、ローラと支持体の噛合・固定方向もまた洗濯機の前後方向となる。よって、ローラと支持体が洗濯機に抗力を付与することで、洗濯機の震動の深刻化が防止される。このほか、ローラの歯と支持体の歯溝が噛合した後、支持体はローラの働きによって底部が地面と接触するため、洗濯機の震動低減に更に有利となる。洗濯機を移動させたい場合には、洗濯機を方向転換した後、後方から前方に向かって洗濯機を目的の位置まで押動する。なお、本発明では、洗濯機に付与する移動力が十分に大きくなければ、ローラの歯を支持体の歯溝から離脱させることはできない。図４において、ローラを反時計回りに回転させると、ローラ１の歯を歯溝４から離脱させられる。これによりローラがロック解除され、洗濯機を目的の位置まで押動可能となる。なお、本発明において、前記洗濯機の前側、後側、前、後等は洗濯機の前側及び後側に対するものである。洗濯機の前側とは、洗濯操作時において洗濯機が操作者に近接する側をいう。例えば、ドラム洗濯機の前側とは、洗濯機における扉が設けられた側のことである。また、パルセータ洗濯機の前側とは、上蓋を開放したときに上蓋の内面が面する側のことである。具体的に、前記ローラは第１方向に沿って設けられる。前記洗濯機は筐体を含み、前記筐体は、前面パネルと、前面パネルに対向して設けられる背面パネルを有する。前記第１方向は、前面パネルが背面パネルに向かう方向である。
【００５４】
上記各実施例において、ローラと支持体はそれぞれ独立して設けられるが、言うまでもなく、ローラと支持体を一体的に設けてもよい。更には、前記支持体をローラの内部に設けてもよい。具体的には、回転軸を介してローラを洗濯機のベースに接続する。前記回転軸にはローラの径方向に沿ってロック部が突出しており、前記ロック部に歯又は歯溝が設けられている。前記ローラの転動外周面には歯が設けられず、内部にロック部を包囲する内歯が同心に設けられている。同様に、ロック部の歯の傾斜方向とローラの内歯の傾斜方向は互いに逆向きに設けられる。前記構造設計によっても、求める技術的効果を達成可能である。
【００５５】
好ましくは、前記支持体とベースを一体的に設けるか、前記支持体をベースに取り付ける。
【００５６】
上記の方案において、支持体はベースと一体的に設けてもよく、この場合、支持体とベースの材質はいずれも硬質材料とする。しかし、ローラの歯と支持体の歯溝が相対的に安定して噛合するためには、支持体の材質を一定の弾性を有する材料とすることが好ましい。そこで、本発明では、前記支持体を洗濯機のベースに取り付けることが好ましい。
【００５７】
本発明の洗濯機は位置を移動させたい場合、洗濯機の位置を回動させるだけで前記洗濯機を押動可能となる。また、洗濯機を目的の位置に移動させたとき、逆方向にわずかな距離を移動させるだけで洗濯機の固定を完了できるため、従来の洗濯機は移動が難しいとの課題が解決される。
【００５８】
なお、本発明の上記実施例で限定する技術方案は単独で実施してもよいし、互いに組み合わせて実施してもよい。本発明における上記実施例で限定する技術方案はドラム洗濯機に適用してもよいし、パルセータ洗濯機に適用してもよい。
【００５９】
以上は本発明の好ましい実施例にすぎず、本発明を何らかの形式に限定するものではない。本発明については好ましい実施例によって上記のように開示したが、本発明を限定するとの主旨ではなく、本発明の技術方案を逸脱しない範囲において、当業者が上記で提示した技術内容を用いて行うわずかな変形或いは補足は、同等に変形された等価の実施例とみなされる。本発明の技術方案の内容を逸脱することなく、本発明の技術的本質に基づいて上記の実施例に加えられる簡単な修正、同等の変形及び補足は、いずれも本発明の方案の範囲内とされる。
【符号の説明】
【００６０】
１  ローラ
２  支持体
３  ベース
４  歯溝
【図１】
0006921212.tif 000002
【図２】
0006921212.tif 000003
【図３】
0006921212.tif 000004
【図４】
0006921212.tif 000005
【図５】
0006921212.tif 000006